(57)【要約】【課題】  この発明はベッド本体の収容部に収容された第１の収納ケースと第２の収納ケースとを円滑に引き出すことができるようにしたベッド装置を提供することにある。【解決手段】  幅方向の一側面が開口し内部を収容部としたベッド本体１と、収容部の幅方向と交差する方向の両側内面に幅方向に沿って設けられたアウタガイド１８，１９と、幅方向両側に設けられこのインナガイド２４をアウタガイドに移動可能に係合させることで、収容部の幅方向に沿って出し入れ可能に設けられた第１、第２の収納ケース１５，１６と、幅方向の開口側に位置する第１の収納ケースの後端と奥側に位置する第２の収納ケースの前端とにそれぞれ設けられこれら第１、第２の収納ケースを上記収容部に収納して第１の収納ケースの後端を第２の収納ケースの前端に当接させたときにこれら収納ケースの後端と前端とを解除可能に連結するラッチ部材２８とキャッチ部材３１とを具備する。【選択図】      図８
2005253777.tif 000002
【特許請求の範囲】
【請求項１】
幅方向の一側面が開口し内部を収容部とするとともに上面にマットレスが載置されるベッド本体と、
上記収容部の上記幅方向と交差する方向の両側内面に上記幅方向に沿って設けられたアウタガイドと、
幅方向両側にインナガイドが設けられこのインナガイドを上記アウタガイドに移動可能に係合させることで、上記収容部の幅方向に沿って出し入れ可能に設けられた第１、第２の収納ケースと、
上記幅方向の開口側に位置する第１の収納ケースの後端と奥側に位置する第２の収納ケースの前端とにそれぞれ設けられこれら第１、第２の収納ケースを上記収容部に収納して第１の収納ケースの後端を第２の収納ケースの前端に当接させたときにこれら収納ケースの後端と前端とを解除可能に連結する連結手段と
を具備したことを特徴とするベッド装置。
【請求項２】
上記連結手段は、上記収容部に収納される第２の収納ケースの前端に設けられたキャッチ部材と、上記第１の収納ケースの後端に弾性的に回動可能に設けられ第１、第２の収納ケースを上記収容部に収納することで上記キャッチ部材に当たると、弾性力に抗して回動したのち復元して上記キャッチ部材に係合するラッチ部材とによって形成されていることを特徴とする請求項１記載のベッド装置。
【請求項３】
上記アウタガイドは、上記収納部の開口部側に位置する第１のアウタガイドと、奥側に位置する第２のアウタガイドとに分割されていて、各ガイドレールは断面コ字状のアウタレール部材と、このアウタレール部材の先端部に他の部分よりも幅広く形成された拡開部と、この拡開部に設けられた第１のガイドローラとを有し、第２のガイドレールのアウタレール部材は第１のガイドレールのアウタレール部材よりも上面を高くして上記収容部の内面に幅方向に沿って設けられており、
上記インナガイドは、帯状の板材を断面クランク状に折曲したインナレール部材と、このインナレール部材の一端部に設けられた第２のローラとを有し、
上記第２の収納ケースを上記収容部から引き出すと、第２の収納ケースのインナレール部材に設けられた第２のローラは、上記収容部の奥側に位置するアウタガイドのアウタレール部材内を転動したのち、このアウタレール部材の拡開部から出て第１のアウタガイドのアウタレール部材の上面に乗って転動することを特徴とする請求項１記載のベッド装置。
【発明の詳細な説明】
【技術分野】
【０００１】
この発明はベッド本体の内部を収納ケースが出し入れ可能に設けられた収容部として利用するベッド装置に関する。
【背景技術】
【０００２】
一般に、ベッド装置はベッド本体を有する。このベッド本体は上面にマットレスが載置されるとともに、長手方向一端にはヘッドボード、他端にはフットボードがほぼ垂直に立設されている。
【０００３】
上記ベッド装置が占有する室内空間を有効利用するため、ベッド本体に、このベッド本体の幅方向一側面が開口した空間部を形成する。そして、この空間部に収納ケースを出し入れできるようにする。それによって、上記収納ケースに衣類などの物品を入れることで、ベッド本体が占有する室内空間の有効利用を図ることができるようにしている。
【０００４】
上記収納ケースによる収容量を拡大するためには、収納ケースのベッド本体の幅方向に沿う寸法、つまり奥行き寸法を大きくしてその容積を拡大することが要求されることになる。
【発明の開示】
【発明が解決しようとする課題】
【０００５】
ところで、収納ケースの容積を拡大するために、収納ケースの奥行き寸法を大きくすると、ベッド装置の側方に収納ケースを引き出すことができるだけのスペースを確保しなければならない。しかしながら、ベッド装置が設置される室内空間が十分に広くない場合、ベッド装置の側方に、奥行き寸法の大きな収納ケースを引き出すことができるスペースを確保することが困難なことがある。
【０００６】
そこで、上記収納ケースをベッド本体の幅方向に対して２つに分割し、収容部から手前側に収納ケースを引き出したならば、この収納ケースをたとえばベッド装置の上面などに置き、奥側の収納ケースを引き出せるようにする。それによって、ベッド本体の側方に、このベッド本体の幅寸法と同等のスペースを確保することができなくても、収容部から収容ケースを引き出すことができる。
【０００７】
ところで、ベッド本体の収納部に、ベッド本体の幅方向に対して２つの収納ケースを収容すると、手前側の収納ケースはそのケースの前板に手を掛けて引き出すことができる。しかしながら、奥側の収納ケースは前端がベッド本体の幅方向の中央部分に位置することに。そのため、その収納ケースに容易に手を掛けるということができないから、使い勝手が悪くなるということがあった。
【０００８】
この発明は、収納ケースをベッド本体の幅方向に対して２つに分割した場合、奥側に位置する収納ケースを容易に引き出すことができるようにしたベッド装置を提供することにある。
【課題を解決するための手段】
【０００９】
この発明は、幅方向の一側面が開口し内部を収容部とするとともに上面にマットレスが載置されるベッド本体と、
上記収容部の上記幅方向と交差する方向の両側内面に上記幅方向に沿って設けられたアウタガイドと、
幅方向両側にインナガイドが設けられこのインナガイドを上記アウタガイドに移動可能に係合させることで、上記収容部の幅方向に沿って出し入れ可能に設けられた第１、第２の収納ケースと、
上記幅方向の開口側に位置する第１の収納ケースの後端と奥側に位置する第２の収納ケースの前端とにそれぞれ設けられこれら第１、第２の収納ケースを上記収容部に収納して第１の収納ケースの後端を第２の収納ケースの前端に当接させたときにこれら収納ケースの後端と前端とを解除可能に連結する連結手段と
を具備したことを特徴とするベッド装置にある。
【００１０】
上記連結手段は、上記収容部に収納される第２の収納ケースの前端に設けられたキャッチ部材と、上記第１の収納ケースの後端に弾性的に回動可能に設けられ第１、第２の収納ケースを上記収容部に収納することで上記キャッチ部材に当たると、弾性力に抗して回動したのち復元して上記キャッチ部材に係合するラッチ部材とによって形成されていることが好ましい。
【００１１】
上記アウタガイドは、上記収納部の開口部側に位置する第１のアウタガイドと、奥側に位置する第２のアウタガイドとに分割されていて、各ガイドレールは断面コ字状のアウタレール部材と、このアウタレール部材の先端部に他の部分よりも幅広く形成された拡開部と、この拡開部に設けられた第１のガイドローラとを有し、第２のガイドレールのアウタレール部材は第１のガイドレールのアウタレール部材よりも上面を高くして上記収容部の内面に幅方向に沿って設けられており、
上記インナガイドは、帯状の板材を断面クランク状に折曲したインナレール部材と、このインナレール部材の一端部に設けられた第２のローラとを有し、
上記第２の収納ケースを上記収容部から引き出すと、第２の収納ケースのインナレール部材に設けられた第２のローラは、上記収容部の奥側に位置するアウタガイドのアウタレール部材内を転動したのち、このアウタレール部材の拡開部から出て第１のアウタガイドのアウタレール部材の上面に乗って転動することが好ましい。
【発明の効果】
【００１２】
この発明によれば、収容部に収容される第１の収納ケースと第２の収納ケースとは、これらを収容部に収容することで、連結手段によって解除可能に連結されるため、第１の収納ケースを引き出せば、この第１の収納ケースとともに第２の収納ケースも引き出すことができる。
【発明を実施するための最良の形態】
【００１３】
以下、この発明の実施の形態を図面を参照して説明する。  
図１乃至図８はこの発明の一実施の形態を示す。図１はこの発明のベッド装置の分解斜視図であって、このベッド装置はベッド本体１を備えている。このベッド本体１は幅方向の一側面の全長が開口部２ａに形成された２つの箱状体２を有する。
【００１４】
２つの箱状体は互いの一端面を連結して上記ベッド本体１を形成している。一方の箱状体２の他端面にはヘッドボード３が立設され、他方の箱状体２の他端面にはフットボード４が設けられている。ヘッドボード３とフットボード４は箱状体２の構成部品となっている。
【００１５】
上記箱状体２は、図６（ａ），（ｂ）に示すように底板５を有する。この底板５の下面四隅部には脚部材６が設けられている。底板５の幅方向の一端には側板７が設けられている。一対の箱状体２のベッド本体１の幅方向と交差する長手方向の一端には図示しない端板が設けられている。一方の箱状体２の長手方向の他端には上記ヘッドボード３が設けられ、他方の箱状体２の長手方向の他端には上記フットボード４が設けられている。各箱状体２の上面には床板８が設けられている。それによって、各箱状体２には、ベッド本体１の幅方向の一側面が全長にわたって開口した開口部２ａとなった収容部９に形成されている。
【００１６】
上記側板７の外方には外側板１１が所定間隔で平行に配置されている。この外側板１１の長手方向の一端と他端とは上記ヘッドボード３とフットボード４とに連結されている。各箱状体２の側板７と、上記外側板１１との対向する外面と内面との上部にはそれぞれ受け桟１２が設けられている。これら受け桟１２にはベッド本体１の幅寸法を拡大するための補助床板１３が係合載置される。そして、床板８と補助床板１３とがなす平面には図１に示すマットレスＭが載置される。
【００１７】
つまり、箱状体２とマットレスＭとの幅寸法が合わない場合やベッド本体１の幅寸法を大きくした場合など、補助床板１３によってベッド本体１の幅寸法を拡大することができるようになっている。
【００１８】
各箱状体２の収容部９には、ベッド本体１の幅方向に沿って第１の収納ケース１５と第２の収納ケース１６とが出し入れ可能に収容される。すなわち、図６（ａ）に示すように、各箱状体２の開口部２ａに対して直交する収容部９の両側内面には、開口部２ａ側（手前側）に第１のアウタガイド１８、奥側に第２のアウタガイド１９がベッド本体１の幅方向に沿って設けられている。
【００１９】
図４と図５に示すように、各アウタガイド１８，１９は帯状の板材を断面コ字状に曲成したアウタレール部材２１を有する。各アウタレール部材２１の一端は他の部分よりも幅寸法が大きくなる拡開部２２に形成されている。拡開部２２には第１のローラ２３が回転可能に設けられている。
【００２０】
そして、収容部９の奥側に位置する第２のアウタガイド１９は、そのアウタレール部材２１の上面を手前側に位置する第１のアウタガイド１８のアウタレール部材２１の上面よりも所定寸法高くして設けられている。つまり、第１のアウタガイド１８のアウタレール部材２１の上面が第２のアウタガイド１９のアウタレール部材２１に設けられた第１のローラ２３の上端とほぼ同じ高さにしている。
【００２１】
図１乃至図３に示すように、上記第１、第２の収納ケース１５，１６は上面が開放した箱形状に形成されている。収容部９の手前側に位置する第１の収納ケース１５の前面面には前面板１５ａが設けられている。この前面板１５ａは上記収容部９の開口部２ａを閉塞する大きさに形成されている。なお、収容部９の奥側に収容される第２の収容ケース１６には前面板１５ａが設けられていない。
【００２２】
第１、第２の収納ケース１５，１６の両側外面にはそれぞれインナガイド２４が前後方向に沿って設けられている。このインナガイド２４は図４と図５（ａ）に示すように帯板状の部材を断面クランク状に曲成したインナレール部材２５を有する。このインナレール部材２５は水平な下辺を収納ケース１５，１６の幅方向両端部に下面に重ねて固定され、垂直な中間辺を外面に接触させている。中間辺の長手方向一端部には第２のローラ２６が回転可能かつ回転軸線を水平にして設けられている。
【００２３】
図２（ａ），（ｂ）に示すように第１の収納ケース１５の後端面には斜面２８ａを有する一対の鉤状のラッチ部材２８（一方のみ図示）が収納ケース１５の幅方向に所定間隔で離間して設けられている。このラッチ部材２８は回動可能かつばね２８ｂによってほぼ水平に起立する状態に弾性的に保持されている。そして、上記ラッチ部材２８は図２（ａ）に示す水平状態から図２（ｂ）に示す倒伏状態にばねの付勢力に抗して回動させることができるようになっている。
【００２４】
上記第２の収納ケース１６の前端面の上部には所定の長さの把手部材２９が水平に設けられている。この把手部材２９の下面の長手方向両端部、つまり一対のラッチ部材２８と対応する間隔で断面Ｌ字状の一対のキャッチ部材３１が一辺を固定して設けられている。このキャッチ部材３１と上記ラッチ部材２８とでこの発明の連結手段を構成している。
【００２５】
図８に示すように、第１、第２の収納ケース１５，１６は、両側外面に設けられた一対のインナガイド２４を、収容部９の両側内面に設けられた第１、第２のアウタガイド１８，１９にそれぞれ移動可能に係合させて上記収容部９に収容される。
【００２６】
すなわち、インナガイド２４に設けられた第２のローラ２６を第１、第２のアウタガイド１８，１９に係合させるとともに、第１、第２のアウタガイド１８，１９に設けられた第１のローラ２３にインナガイド２４のインナレール部材２５の上辺を係合させることで、移動可能に設けられている。
【００２７】
それによって、第１の収納ケース１５と第２の収納ケース１６は、それぞれ第１、第２のアウタガイド１８，１９に沿って移動可能となっている。  
つぎに、上記構成のベッド装置に設けられた第１、第２の収納ケース１５，１６を収容部９に出し入れする場合について図６乃至図８を参照しながら説明する。
【００２８】
図６（ａ）は収容部９に第１、第２の収納ケース１５，１６が入れられていない状態であって、同図（ｂ）は収容部９に第２の収納ケース１６を収納する状態を示す。第２の収納ケース１６は、そのインナガイド２４に設けられた第２のローラ２６を、第１のアウタガイド１８のアウタレール部材２１の上面に乗せて収容部９に収容する。
【００２９】
図６（ｂ）に示す状態から第２の収納ケース１６を収容部９に押し込み、図７（ａ）に示すように第２のローラ２６が第１のアウタガイド１８のアウタレール部材２１の上面の末端から外れると、この第２のローラ２６は第２のアウタガイド１９のアウタレール部材２１の先端部に形成された拡開部２２から内部に入り込む。
【００３０】
第２の収納ケース１６を、収容部９内の図７（ａ）に示す位置まで収容したならば、同図（ｂ）に示すように収容部９に第１の収納ケース１５を収容する。第１の収納ケース１５は、インナガイド２４に設けられた第２のローラ２６を、第１のアウタガイド１８のアウタレール部材２１内に、このアウタレール部材２１の先端の拡開部２２を通じて挿入する。
【００３１】
そして、第１の収納ケース１５を収容部９に押し込むと、この第１の収納ケース１５の後端面に設けられた一対のラッチ部材２８の斜面２８ａが第２の収納ケース１６の前端面に設けられた一対のキャッチ部材３１に当たるから、ラッチ部材２８は図２（ａ）に示す水平に起立した状態から同図（ｂ）に示すようにばね２８ｂの付勢力に抗して下方へ回動する。
【００３２】
上記ラッチ部材２８が下方へ回動した後、斜面２８ａとキャッチ部材３１との当接状態が外れると、ラッチ部材２８はばね２８ｂの復元力によって上昇する。それによって、ラッチ部材２８は図７（ｂ）に示すようにキャッチ部材３１に係合する。
【００３３】
第１、第２の収納ケース１５，１６が連結された状態で、第１の収納ケース１５を、図８に示すように第１の収納ケース１５の前面板１５ａが収容部９の開口部２ａを閉塞する位置まで収容部９内へ押し込めば、これらの収納ケース１５，１６を収容部９に収容することができる。
【００３４】
なお、収容部９に収容された第１の収納ケース１５と第２の収納ケース１６とは、第１のアウタガイド１８と第２のアウタガイド１９との高さの差に応じて第２の収納ケース１６の法が高くなっている。
【００３５】
図８に示すように収容部９に収容された第１、第２の収納ケース１５，１６を利用する場合には、第１の収納ケース１５の前板１５ａの下端に手を掛けてこの第１の収納ケース１５を収容部９から引き出す。
【００３６】
それによって、図７（ｂ）に示すように第１の収納ケース１５のインナガイド２４に設けられた第２のローラ２６が第１のアウタガイド１８のアウタレール部材２１内を転動して移動し、第２の収納ケース１６の第２のローラ２６が第２のアウタガイド１９のアウタレール部材２１内を転動して移動するから、これら収納ケース１５，１６が収容部９から引き出される。
【００３７】
第１の収納ケース１５に設けられた第２のローラ２６が第１のアウタガイド１８のアウタレール部材２１の先端の拡開部２２に到達したならば、上記第２のローラ２６をアウタレール部材２１の先端に設けられた第１のローラ２３を乗り越えさせて拡開部２２を通じて第１のアウタガイド１８から外す。
【００３８】
第２のローラ２６を第１のアウタガイド１８から外した後、第１の収納ケース１５を下げれば、第１の収納ケース１５の後端面に設けられたラッチ部材２８が第２の収納ケース１６の前端面に設けられたキャッチ部材３１から外れるから、第１の収納ケース１５を収容部９から取り出すことができる。したがって、この第１の収納ケース１５に衣類などの物品を出し入れすることができる。
【００３９】
第２の収納ケース１６を利用する場合には、この第２の収納ケース１６は図７（ａ）に示す位置まで引き出されているから、その前端面に設けられた把手部材２９に手を掛けて図６（ｂ）に示すようにさらに引き出す。それによって、第２の収納ケース１６のインナガイド２４に設けられた第２のローラ２６が第２のアウタガイド１９のアウタレール部材２１内から第１のアウタガイド１８のアウタレール部材２１の上面に乗り移って移動するから、この第２の収納ケース１６を収容部９から引き出すことができる。
【００４０】
このように、収容部９に収納される収納ケースを、第１の収納ケース１５と第２の収納ケース１６とに分割した。そのため、ベッド本体１の側方に、このベッド本体１の幅寸法の半分程度のスペ−スがあれば、第１の収納ケース１５を引き出してから、第２の収納ケース１６も引き出すことができる。つまり、ベッド本体１の設置場所に大きな制限を受けることなく、第１、第２の収納ケース１５，１６を収容部９に出し入れして利用することができる。
【００４１】
一方、収容部９に第２の収納ケース１６を収納した後、第１の収納ケース１５を収納すると、第１の収納ケース１５の後端面に設けられたラッチ部材２８を第２の収納ケース１６の前端面に設けられたキャッチ部材３１に自動的に係合させることができる。
【００４２】
そのため、収納部９から第１の収納ケース１５を引き出すと、第２の収納ケース１６が第１の収納ケース１５とともに収容部９の開口部２ａ側に引き出されるから、第１の収納ケース１５を収容部９から引き出した後、この第１の収納ケース１５とともに収容部９の中途部まで引き出された第２の収納ケース１６の把手部材２９に容易に手を掛けて引き出すことができる。
【００４３】
この発明は上記一実施の形態に限定されず、種々変形可能である。たとえば、収容部の両側内面に設けられるアウタガイドを２つに分割したが、１本のアウタガイドに第１、第２の収納ケースをスライド可能に設けるようにしてもよく、要は収容部の奥側に第２の収納ケースを収納した後、手前側から第１の収納ケーする収納することができる構成であればよい。また、連結手段としては上述した構成のラッチ部材とキャッチ部材とに限定されるものでなく、第２の収納ケースを収納した後、第１の収納ケースを収納することで、これら収納ケースが自動的に連結される構成の連結手段であればよい。
【図面の簡単な説明】
【００４４】
【図１】この発明の一実施の形態を示すベッド装置の斜視図。
【図２】（ａ）は第１の収納ケースの前後方向に沿う縦断面図、（ｂ）は第１の収納ケースの後端に設けられたラッチ部材が下方へ回動した状態を示す図。
【図３】第２の収納ケースの前後方向に沿う縦断面図。
【図４】収容部に移動可能に設けられた第１の収納ケースの幅方向の一端部を拡大して示す断面図。
【図５】（ａ）はインナガイドの平面図、（ｂ）はアウタガイドの側面図。
【図６】（ａ）は第１、第２の収納ケースが収納されていない状態を示すベッド本体の幅方向に沿う断面図、（ｂ）は収容部に第２の収容ケースを収容し始めた状態を示すベッド本体の幅方向に沿う断面図。
【図７】（ａ）は第２の収納ケースをさらに収容した状態を示すベッド本体の幅方向に沿う断面図、（ｂ）は第２の収容ケースに続いて第１の収容ケースを収容し始めた状態を示すベッド本体の幅方向に沿う断面図。
【図８】第１、第２の収納ケースが収納された状態を示すベッド本体の幅方向に沿う断面図。
【符号の説明】
【００４５】
１…ベッド本体、２…箱状体、９…収容部、１５…第１の収納ケース、１６…第２の収納ケース、１８…第１のアウタガイド、１９…第２のアウタガイド、２１…アウタレール部材、２３…第１のローラ、２４…インナガイド、２５…インナレール部材、２６…第２のローラ、２８…ラッチ部材、３１…キャッチ部材。
【図１】
2005253777.tif 000003
【図２】
2005253777.tif 000004
【図３】
2005253777.tif 000005
【図４】
2005253777.tif 000006
【図５】
2005253777.tif 000007
【図６】
2005253777.tif 000008
【図７】
2005253777.tif 000009
【図８】
2005253777.tif 000010